(57)【特許請求の範囲】
【請求項１】
パチンコ機の側方に設置され、前記パチンコ機から放出されて玉受皿に収容されたパチンコ玉が取り込まれる排出経路と、該排出経路に配設され前記排出経路に取り込まれたパチンコ玉を検出して該パチンコ玉の計数を行う玉計数機と、該玉計数機の上流側で前記排出経路を開閉するシャッターと、該シャッターの開閉を制御する制御手段とを備えた玉計数機付玉貸機であって、
前記玉計数機付玉貸機からの払出玉数データをＸ１、
前記パチンコ機からの賞球データをＸ２、
前記払出玉数データＸ１と前記賞球データＸ２との加算持玉数データをＸ５、
前記玉計数機による玉計数データをＸ３、
前記加算持玉数データＸ５から前記計数データＸ３を減算した実質持玉数データをＸ４とした場合に、
前記制御手段は、前記玉計数機が前記パチンコ玉を検出している状況下でＸ４≦０の条件を満たしたときに、前記シャッターを閉じ、前記条件を満たさないときに、前記シャッターを開放状態に維持することを特徴とする玉計数機付玉貸機。
【請求項２】
前記パチンコ機からのアウト玉を計数してアウト玉計数信号を発信するアウト玉計数機を備え、
前記制御手段は、前記アウト玉計数信号が発信されている状況下で加算持玉数データＸ５＝０の条件を満たしたときに警告を発する
ことを特徴とする請求項１記載の玉計数機付玉貸機。
【発明の詳細な説明】
【技術分野】
【０００１】
本発明は、パチンコ機から出たパチンコ玉を玉計数機付玉貸機の下部に配設された玉計数機に導いて計数するとともに該玉計数機の前方に設けたシャッターの開閉を制御して不正なパチンコ玉の貸出しを防止した玉計数機付玉貸機に関する。
【背景技術】
【０００２】
従来、パチンコ機を使用した遊技においては、遊技者の出した出玉の計数をパチンコ機での遊技とは別の景品カウンターあるいはパチンコ機や玉貸機を多数並設したパチンコ島の端部に設置した玉計数機によって行っていた。他方、近年のパチンコ機はパチンコ機１台あたりの出玉数が多く、パチンコ機で遊技中の各遊技者は出玉を大きな玉箱に入れて保管しておき、そのパチンコ機での遊技終了後、或いは、遊技途中にパチンコ機から離れ玉計数機の設置されている景品カウンターやパチンコ島の端部へ行き一度に計数を行い、磁気カード等の記憶媒体に計数結果を記憶するか、或いは、レシート等に印字していた。そして、この計数機で計数されたパチンコ玉は、パチンコ島内部に還流された後に再びパチンコ機へと循環される。
【０００３】
しかしながら、このように、遊技者が出した玉数を景品カウンターやパチンコ島の端部のパチンコ機とは異なる所に設置した玉計数機で計数する方法では、各遊技者がパチンコ機の遊技中にあっては、各パチンコ機のそばにおいた玉箱で出玉を保管しているため、パチンコ島或いは台内で実働する玉数が減少するという問題点を有した。すなわち、パチンコ遊技場内全体で必要な玉数は、パチンコ機内で実働する玉数と各遊技者がパチンコ機位置で保管している玉数とを加えたものとなり、パチンコ機位置で各遊技者が保管しているだけで実働していない余分な玉をも揃える必要が有るという問題点を有していた。特に、近年の出玉数が多いパチンコ機では実働する玉数が不足するという問題点を有する。又、玉箱が複数になってしまった場合には、移動しなければならない玉箱が重く、計数場所へ玉箱を移動するのが困難であった。
【０００４】
このような問題点を解決するために、各パチンコ機の近傍（例えば、特開平１１−３１９２９６号公報の図６）や玉貸機（例えば、特開平１０−２４９０４７号公報）に計数機を配設して、その場で玉数を計数し、計数されたパチンコ玉を島内に還流する構成が開発されている。そして、計数されたデータは、カードに記憶されたり、レシートに印刷されたりして遊技者に還元される。
【０００５】
そして、一般的に、これらの装置には、不正防止機能が設けられている。例えば、前者の特開平１１−３１９２９６号公報には、持球に基づく制御方法によるものが、また、後者の特開平１０−２４９０４７号公報には、機械式によるものが設けられ、不正にパチンコ玉が貸し出されるのを防止している。
【０００６】
即ち、前者（特開平１１−３１９２９６号）の構成では、貸出球数及び賞品球数の和である供給球和から、アウト玉数の差を計数して、遊技者の持球の数を正確に把握する。そして、持球数が貸出上限値ｘよりも多いか否かを判定し（Ｓ３０）、貸出要求の有無を判定する（Ｓ３１）。そして、何れも肯定判定された場合は、直ちに発射装置（Ｓ３２）、及び貸出装置（Ｓ３３）の作動を禁止している。また、後者（特開平１０−２４９０４７号）の構成では、玉計数機の玉通路における玉計数センサーの設置位置の上流側に、玉流入方向には回転し、逆方向には回転不可に構成され、不正具の使用を防止する不正具使用防止爪を設けた機械式の構成が開示されている。ちなみに、この発明には、玉通路を遮断するためのシャッターが設けられているが、このシャッターは、「玉計数機の故障などで計数不能となったとき、シャッターを閉じて、玉計数機なしのパチンコ機として使用することができるようにしたもので、直接にも、間接にも不正防止とは関連していない。
【０００７】
しかしながら、前述の特開平１１−３１９２９６号公報による持球に基づく制御方法による不正防止機能は、正確に把握された持球の数と貸出上限値ｘとを比較して、貸出要求の有無を判定するものであるが、貸出上限値ｘは、経験値から割り出した数値であるため、当然、値にばらつきがあり、従って判定精度が不正確となるばかりか、その結果で、直ちに発射装置（Ｓ３２）、及び貸出装置（Ｓ３３）の作動を禁止するため、誤判定で発射装置や貸出装置が停止した場合、復旧に時間を要し、遊技者に不快感を与える恐れがあった。また、後者のような機械式のものでは、不正行為ができ難いというだけで、不正行為そのものを発見（検出）するには至らなかった。
【０００８】
この出願の発明に関連する先行技術文献としては次のものがある。
【特許文献１】特開平１１−３１９２９６号公報の明細書及び図面。
【特許文献２】特開平１０−２４９０４７号公報。
【発明の開示】
【発明が解決しようとする課題】
【０００９】
本発明は、上記の問題を解決するためになされたものであり、その目的は、玉計数機付玉貸機の玉貸し機能ならびにパチンコ機の遊技に直接関係することなく、玉計数機付玉貸機に配設されている玉計数機に対する不正行為を早期にしかも確実に把握することができ、かつ、同時にパチンコ玉の計数を中止することによって不正行為を未然に防止することが可能な玉計数機付玉貸機を提供するものである。
【課題を解決するための手段】
【００１０】
上記課題を解決するため、本発明の玉計数機付玉貸機は、パチンコ機の側方に設置され、前記パチンコ機から放出されて玉受皿に収容されたパチンコ玉が取り込まれる排出経路と、該排出経路に配設され前記排出経路に取り込まれたパチンコ玉を検出して該パチンコ玉の計数を行う玉計数機と、該玉計数機の上流側で前記排出経路を開閉するシャッターと、該シャッターの開閉を制御する制御手段とを備えた玉計数機付玉貸機であって、前記玉計数機付玉貸機からの払出玉数データをＸ１、前記パチンコ機からの賞球データをＸ２、前記払出玉数データＸ１と前記賞球データＸ２との加算持玉数データをＸ５、前記玉計数機による玉計数データをＸ３、前記加算持玉数データＸ５から前記計数データＸ３を減算した実質持玉数データをＸ４とした場合に、前記制御手段は、前記玉計数機が前記パチンコ玉を検出している状況下でＸ４≦０の条件を満たしたときに、前記シャッターを閉じ、前記条件を満たさないときに、前記シャッターを開放状態に維持するものである。
【００１１】
このことにより、遊技者が実際に所有している持玉数を正確に把握することができ、その把握した持玉数を絶対値である「０」と比較してシャッターの開閉を制御するものであるから、判定結果にばらつきが生ずることなく正確にシャッターの開閉が制御される。しかも、シャッターを閉じることによって、不正貸出と推定されるパチンコ玉の計数を拒否するとともに玉計数機自体への不正行為を防止するものであり、かつ、シャッターを閉じた状態でも玉計数機付玉貸機からのパチンコ玉の貸出し、パチンコ機の遊技には、直接、影響することがないので、誤判定、その他の理由で計数不可となった場合でも通常の遊技を続行することができる。
【００１２】
次の発明は、前記パチンコ機からのアウト玉を計数してアウト玉計数信号を発信するアウト玉計数機を備え、前記制御手段は、前記アウト玉計数信号が発信されている状況下で加算持玉数データＸ５＝０の条件を満たしたときに警告を発するものである。
【００１３】
このことにより、持玉がないのにアウト玉計数がカウントされると言う不自然な状況となった時点で警告を発することによって遊技店に注意を喚起させて、不正貸出による損害を最小限に食い止めることができる。
【発明の効果】
【００１４】
以上のように、本発明によれば、パチンコ機の側方に設置され、下部にパチンコ玉の排出経路と、該排出経路の入口側に配設された玉計数機と、該玉計数機の前方を開閉するシャッターと、該シャッターの開閉を制御する制御手段とを備えた玉計数機付玉貸機であって、前記制御手段は、次の条件、玉計数機付玉貸機からの払出枚数データＸ１、パチンコ機からの賞球データＸ２、払出枚数データＸ１と賞球データＸ２との加算持玉数データＸ５、玉計数機による玉計数データをＸ３、加算持玉数データＸ５から計数データＸ３を減算した実質持玉数データＸ４、としたときに、Ｘ４≦０を満たし条件下で、前記シャッターを閉じ、満たさない条件下で、前記シャッターを開放状態に維持することにより、遊技者が実際に所有している持玉数を正確に把握することができ、その把握した持玉数を絶対値である「０」と比較してシャッターの開閉を制御するものであるから、判定結果にばらつきが生ずることなく正確にシャッターの開閉が制御される。しかも、シャッターを閉じることによって、不正貸出と推定されるパチンコ玉の計数を拒否するとともに玉計数機自体への不正行為を防止するものであり、しかも、シャッターを閉じた状態でも玉計数機付玉貸機からのパチンコ玉の貸出し、パチンコ機の遊技には、直接、影響することがないので、誤判定、その他の理由で計数不可となった場合でも通常の遊技を続行することができる。
【発明を実施するための最良の形態】
【００１５】
以下、本発明を実施するための最良の形態を図面に基づいて説明する。図１は、本発明を備えたパチンコ機と玉計数機付玉貸機を示した概略正面図である。図２は、同概略上面図である。図３は、制御手段の制御処理手順を示したフローチャート図である。
【００１６】
本発明の玉計数機付玉貸機２は、パチンコ機１の側方に設置されていて、下部にパチンコ玉の排出経路２４と、該排出経路２４の取入口２５側に配設された玉計数機３と、該玉計数機３の前方を開閉するシャッター５と、該シャッター５の開閉を制御する制御手段（具体的には、制御基板７）とを備えており、前述の取入口２５は、パチンコ機１に設けられた下玉受皿１２に玉案内機構４で連絡されている。
【００１７】
パチンコ機１は、前面下部に上玉受皿１１と下玉受皿１２とが配設されている。パチンコ機１から放出されたパチンコ玉Ｐは、一旦上玉受皿１１に収容され、上玉受皿１１から溢れたパチンコ玉Ｐは、下玉受皿１２に収容されるようになっている。この下玉受皿１２の底には、開閉可能な開口部（図示しない）が形成され、その開口からパチンコ玉Ｐが玉案内機構４の投入口４１に排出される。また、パチンコ機１の内部には、賞球数を計数する賞球計数機（図示しない）が配設されており、この賞球計数機（図示しない）で計数された賞球データＸ２は、信号で玉計数機付玉貸機２の内部に配設された制御基板７に送信される。
【００１８】
また、パチンコ機１の背面下部近傍には、パチンコ機１から排出されたアウト玉を受けるアウト玉タンク６が配設されている。このアウト玉タンク６には、アウト玉を計数するアウト玉計数機６１が設けられている。従って、パチンコ機１から排出されたアウト玉は、アウト玉タンク６に放出され、アウト玉計数機６１で計数された後に、パチンコ島（図示しない）の内部に配設されている回収タンク（図示しない）に還流される。また、このアウト玉計数機６１で計数されたアウト玉計数データＸ６は、信号で玉計数機付玉貸機２の内部に配設された制御基板７に送信される。
【００１９】
玉計数機付玉貸機２は、縦長矩形の箱形状に形成され、前面上部にカード挿入口２１が、その下側に表示部２２が、中央にパチンコ玉貸出用のノズル２３が配設されている。そして、下部には、矩形状のパチンコ玉の排出経路２４が貫通している。この排出経路２４は、前面から背面にかけて下り傾斜していて、取入口２５から取り込まれたパチンコ玉Ｐがパチンコ島（図示しない）の内部に配設されている回収タンク（図示しない）に還流されるようになっている。そして、玉計数機付台間玉貸機２の内部には、パチンコ玉Ｐの払出数を計数する払出計数機（図示しない）ならびに制御手段である制御基板７が配設されている。そして、この払出計数機（図示しない）で計数された払出数データＸ１は、信号で前述の制御基板７に送信される。
【００２０】
玉計数機３は、前述した排出経路２４の取入口２５の近傍に配設され、排出経路２４に取り込まれたパチンコ玉Ｐを計数して計数データＸ３として信号を発信させ、前述の玉計数機付玉貸機２の内部に配設された制御基板７に送信される。尚、玉計数機３の配設位置は、取入口２５の近傍に限らず、排出経路２４に取り込まれたパチンコ玉Ｐが計数されれば、排出経路２４の途中に設けても良い。
【００２１】
玉案内機構４は、パチンコ機１に配設されている下玉受皿１２と玉計数機付玉貸機２の排出経路２４の取入口２５との間を結ぶもので、下玉受皿１２の下側に対面した投入口４１と玉案内経路４２ならびに排出口４３とを備えている。そして、玉案内経路４２は、投入口４１から排出経路２４の取入口２５方向に下り傾斜している。尚、この玉案内機構４は、下玉受皿１２から排出されたパチンコ玉Ｐを玉計数機付玉貸機２の排出経路２４の取入口２５（玉計数機３）に導くことができる構成ならばどのような構成でも良い。例えば、特許文献２に開示されている構成、また、特に特許文献として取り上げていないが、実用新案登録第５７９７９２号公報に開示されている構成でも良い。
【００２２】
シャッター５は、前述した排出経路２４の取入口２５の近傍に配設されている玉計数機３の前方に取入口２５に対して開閉可能に配設されている。即ち、玉案内機構４の投入口４１から玉案内経路４２を経由して導かれたパチンコ玉Ｐが排出経路２４の取入口２５から取り込まれないように取入口２５を（閉じるように制御されている。この、シャッター５の開閉は、後述する制御手段８によって制御されるが、シャッター５を駆動する構成としては、先の特許文献２に開示されているソレノイド（図示しない）を用いる構成やモータ（図示しない）で駆動する構成など公知の構成を用いていれば良い。
【００２３】
制御手段（具体的には、制御基板７）は、シャッター５の開閉を制御するものである。即ち、この制御基板７には、玉計数機付玉貸機２に配設された玉計数センサー（図示しない）で計数された払出数データＸ１と、パチンコ機１の内部に配設された賞球計数機（図示しない）で計数された賞球データＸ２と、下玉受皿１２から玉案内経路４２を経由して玉計数機付玉貸機２の下部に配設された玉計数機３で計数された玉計数データＸ３ならびにパチンコ機１の背面下部近傍に配設されたアウト玉タンク６に配設されているアウト玉計数機６１で計数されたアウト玉計数データＸ６などの各種データが送信されてくる。この送信された各種データを取り込んで、払出枚数データＸ１と賞球データＸ２とを加算した加算持玉数データＸ５と、該加算持玉数データＸ５から玉計数データＸ３を減算した実質持玉数データＸ４を算出するなどの演算処理を行う。その結果のデータを比較判定し、実質持玉数データＸ４が０またはそれより小さいときに、シャッター５を操作して排出経路２４の取入口２５を閉じる。それ以外の条件下では、シャッター５を開放状態に維持したり、また、後述する別の条件下で警告を発したりするような制御を行っている。
【００２４】
即ち、実質持玉数データＸ４が０またはそれより小さいときとは、遊技者の手もとにパチンコ玉Ｐがない状態である。このときに、玉計数機が玉を計数している状況にあるということは、不自然であり何らかの不正がなされていると判定されシャッター５が排出経路２４の玉計数機３の前方を遮断して計数を停止させる。
【００２５】
更に、制御基板７には、別に、前述したようにシャッター５が排出経路２４を遮断する前に事前警告を発する制御回路が設けられている。即ち、制御基板７に送信されたアウト玉計数機６１のアウト玉計数データＸ６（必ずしも、計数データでなく、単に計数状況を信号化したものでも良い）を検出し、そのときに、加算持玉数データＸ５が０より多いか、少ないかを判定する。ここで、加算持玉数データＸ５が０より多い場合には、実質持玉があることとなり、アウト玉計数が確認されても不自然でないのでなにもシグナルは発せられない。しかしながら、加算持玉数データＸ５が０である場合には、本来、加算持玉数データＸ５がないのにアウト玉計数が確認されるという不自然な状況となるので警告を発する。この警告は、ランプ表示、警告音など任意な方法で遊技店側に知らせればよい。尚、ここでは、実際に遊技者が持っているパチンコ玉は、加算持玉数データＸ５に加え台移動時に持ち込んだものなども加えられることがあるので、警告を発して遊技店側に注意を喚起するのにとどめ、シャッター５の制御は行わない。
【００２６】
次に、制御手段（具体的には、制御基板７による制御）の制御処理手順を図３のフローチャートに基づいて説明する。
Ｓｔｅｐ１（払出枚数データＸ１）：玉計数機付玉貸機２からパチンコ玉Ｐの払出が有るか否かを判定する。払出有（Ｙ）のときにはＳｔｅｐ３の持玉数加算処理へ進む。払出なし（Ｎ）ときには、Ｓｔｅｐ２へ進む。
Ｓｔｅｐ２（賞球データＸ２）：パチンコ機１からの賞球が有るか否かを判定する。賞球有（Ｙ）のときにはＳｔｅｐ３の持玉数加算処理へ進む。賞球なし（Ｎ）のときには、Ｓｔｅｐ４へ進む。
Ｓｔｅｐ３（加算持玉数データＸ５）：持玉数加算処理、即ち、Ｓｔｅｐ１の払出数とＳｔｅｐ２の賞球を加算する。
Ｓｔｅｐ４（実質持玉数データＸ４）：玉計数機３で持玉が計数されたか否かを判定する。持玉計数有（Ｙ）のときにはＳｔｅｐ６の持玉数減算処理へ進む。持玉計数なし（Ｎ）ときには、Ｓｔｅｐ５へ進む。
Ｓｔｅｐ５（玉計数データＸ３の状況判定）：アウト玉計数機６１でアウト玉が計数されたか否かを判定する。アウト玉計数有（Ｙ）のときには、Ｓｔｅｐ７の持玉数判定処理へ進む。アウト玉計数なし（Ｎ）ときには、Ｓｔｅｐ９へ進む。
Ｓｔｅｐ６（実質持玉数データＸ４）：持玉数減算処理、即ち、Ｓｔｅｐ３の加算持玉数から持玉計数を減算する。
Ｓｔｅｐ７（アウト玉計数データＸ６の状況判定）：持玉数判定処理、即ち、Ｓｔｅｐ５においてアウト玉が計数されている状況に基づいて持玉が０であるか否か（０より大きいか）を判定する。持玉が０より多いとき（Ｎ）には、アウト玉の計数があっても不自然ではなくＳｔｅｐ９へ進む。持玉が０であるとき（Ｙ）には、当然、アウト玉の計数があるということは不自然であり、Ｓｔｅｐ８へ進む。尚、この段階での持玉には、当該パチンコ機１ならびに玉計数機付玉貸機２から獲得された持玉に加え、遊技者が他のパチンコ機１から移動した持玉も含まれる場合もあるので、ここの条件が満たされても、直ちにシャッター５を閉じるような制御は行わない。ここでは、持玉がないのにアウト玉の計数があると言う不自然さを確認できれば良い。
Ｓｔｅｐ８（警告）：持玉がないのにアウト玉の計数があるとい不自然さが確認されると、警告表示、警告音など任意な手段で遊技店側に注意を喚起させる。
Ｓｔｅｐ９（シャッター５の制御）：実質持玉数判定処理、即ち、Ｓｔｅｐ５、Ｓｔｅｐ６を経て算出された実質持玉数データＸ４を絶対値０と対比させる。ここで、実質持玉数データＸ４が０より多いとき（Ｎ）には、遊技者の手もとに持玉が存在することとなりＳｔｅｐ１０へ進む。また、実質持玉数データＸ４が０と同等または０より少ないとき少ないとき（Ｙ）には、遊技者の手もとに持玉が存在しないと判定するとともにそれ以上に玉計数機３に導入されるパチンコ玉Ｐは、不正行為によるものと仮定してＳｔｅｐ１１へ進む。
Ｓｔｅｐ１０（シャッター５を開く）：遊技者の手もとに持玉が存在するとしてシャッター５を開いた状態に維持する。
Ｓｔｅｐ１１（シャッター５を閉じる）：遊技者の手もとに持玉が存在しないと判定し、シャッター５を閉じる。このシャッター５が閉じられることで、不正行為によるものと仮定されるパチンコ玉Ｐの計数を拒否するとともに玉計数機３への不正行為を防止する。
【図面の簡単な説明】
【００２７】
【図１】本発明を備えたパチンコ機と玉計数機付玉貸機を示した概略正面図である。
【図２】同概略上面図である。
【図３】制御手段の制御処理手順を示したフローチャート図である。
【符号の説明】
【００２８】
１  パチンコ機
１１  上玉受皿
１２  下玉受皿
２  玉計数機付玉貸機
２１  カード挿入口
２２  表示部
２３  ノズル
２４  排出経路
２５  取入口
３  玉計数機
４  玉案内機構
４１  投入口
４２  玉案内経路
４３  排出口
５  シャッター
６  アウト玉タンク
６１  アウト玉計数機
７  制御手段（制御基板）
Ｘ１  払出玉数データ
Ｘ２  賞球データ
Ｘ３  玉計数データ
Ｘ４  実質持玉数データ
Ｘ５  加算持玉数データ
Ｘ６  アウト玉計数データ
Ｐ  パチンコ玉
【図１】
0005153239.tif 000002
【図２】
0005153239.tif 000003
【図３】
0005153239.tif 000004